(57)【特許請求の範囲】
【請求項１】
給水系管路に設けられる貯水槽を建築物に設置する設置方法であって、
槽本体と、前記槽本体を覆うかつ弾性材によって形成されるケースとを備える貯水槽を用意し、
前記ケース表面と前記建築物の躯体面とを当接させて、前記躯体に前記貯水槽を固定する、貯水槽の設置方法。
【請求項２】
前記ケースは、その上面が平らな横長形状に形成され、
前記ケース上面と前記躯体下面とを当接させて、前記躯体に前記貯水槽を固定する、請求項１記載の貯水槽の設置方法。
【請求項３】
貯水槽は、槽本体と、前記槽本体を覆うかつ弾性材によって形成されるケースとを備え、
前記ケース表面と建築物の躯体面とを当接させて、前記躯体に前記貯水槽を固定する、貯水槽の設置構造。
【発明の詳細な説明】
【技術分野】
【０００１】
この発明は貯水槽の設置方法および設置構造に関し、特にたとえば、給水系管路に設けられて、非常時に飲料水として用いられ得る清潔な水を貯留する貯水槽を建築物に設置する、貯水槽の設置方法および設置構造に関する。
【背景技術】
【０００２】
近年、大規模地震等の自然災害への懸念の高まりから、断水状態を想定して、各家庭における飲料水の備蓄が推奨されている。そこで、本願発明者らは、給水系管路に設けられる貯水槽を特許文献１に提案した。特許文献１の貯水槽は、槽本体を含み、槽本体には、水道水が供給される第１給水管、および通常取水栓へとつながる複数の第２給水管が接続される。生活用水として槽本体内の水道水を通常取水栓から取り出すと、それに伴い水道水が第１給水管から槽本体内へ供給される。このため、槽本体内の水道水は、生活用水を使用する度に入れ替わり、常に清潔に維持される。したがって、特許文献１の技術によれば、特別なメンテナンス等を必要とすることなく、非常時に飲料水として用いられ得る清潔な水を貯留しておくことができる。
【特許文献１】特開２００６−１６０３６８号
【発明の開示】
【発明が解決しようとする課題】
【０００３】
上述のような貯水槽は、地震等が発生して断水状態に陥ったときに、その内部に貯留している水を利用できるように、建築物に設置される。したがって、地震が発生しても、その際の揺れによって貯水槽が破損されないように、建築物に貯水槽を設置する必要がある。しかし、特許文献１には、貯水槽の具体的な設置方法が記載されていない。
【０００４】
それゆえに、この発明の主たる目的は、耐震性に優れる、貯水槽の設置方法および設置構造を提供することである。
【課題を解決するための手段】
【０００５】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【０００６】
請求項１の発明は、給水系管路に設けられる貯水槽を建築物に設置する設置方法であって、槽本体と、槽本体を覆うかつ弾性材によって形成されるケースとを備える貯水槽を用意し、ケース表面と建築物の躯体面とを当接させて躯体に貯水槽を固定する、貯水槽の設置方法である。
【０００７】
請求項１の発明では、給水系管路に設けられる貯水槽（１０）を、建築物の躯体、たとえば天井裏のコンクリートスラブ（１００）や梁（１０８）などに固定して設置する。貯水槽は、水を貯留する槽本体（１２）および槽本体を覆うケース（１６）を備え、ケースは、弾性材によって形成される。貯水槽を建築物に設置する際には、ケース表面と躯体面とを当接させた状態で、貯水槽と躯体とを固定する。ケース表面と躯体面とを当接させることによって、地震が発生したときには、貯水槽の動きがひずみのない躯体の動きと同調する共に、ケースの弾性によって地震の揺れが吸収される。したがって、地震の揺れが槽本体に対して与える影響が減少され、槽本体の破損が防止される。
【０００８】
請求項１の発明によれば、貯水槽の動きがひずみのない躯体の動きと同調すると共に、ケースの弾性によって地震の揺れが吸収されるので、耐震性に優れる。
【０００９】
請求項２の発明は、請求項１の発明に従属し、ケースはその上面が平らな横長形状に形成され、ケース上面と躯体下面とを当接させて、躯体に貯水槽を固定する。
【００１０】
請求項２の発明では、その上面（１６ａ）が平らな横長形状に形成されるケース（１６）を備える貯水槽（１０）を、建築物の躯体（１００，１０８）の下面（１００ａ，１０８ａ）に固定して設置する。ケースの形状をその上面が平らな横長形状、つまり高さの低い形状にすることによって、高さ方向に制限のある天井裏などの躯体に貯水槽を設置できるようになる。また、貯水槽を躯体面に沿うように設置でき、躯体が揺れても貯水槽がひずみ難くなる。さらに、ケースと躯体との当接面積が大きくなり、地震による揺れがケースの弾性によって吸収され易くなる。
【００１１】
請求項３の発明は、貯水槽は、槽本体と槽本体を覆うかつ弾性材によって形成されるケースとを備え、ケース表面と建築物の躯体面とを当接させて躯体に貯水槽を固定する、貯水槽の設置構造である。
【００１２】
請求項３の発明においても、請求項１の発明と同様の作用効果を示す。
【発明の効果】
【００１３】
この発明によれば、貯水槽の動きがひずみのない躯体の動きと同調すると共に、ケースの弾性によって地震の揺れが吸収されるので、耐震性に優れる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この発明の一実施例である貯水槽の設置方法では、貯水槽１０をマンションや戸建などの一般住宅の躯体に固定して設置する。ここで、躯体とは、建築物の構造を支える骨組みをいい、コンクリートスラブ１００、梁１０８および柱などを含む。
【００１６】
貯水槽１０は、図２−図７に示すように、槽本体１２、フレーム１４およびケース１６を含み、非常時に飲料水として用いられ得る清潔な水を貯留する。貯水槽１０は、水道管からの水道水を宅内に供給する第１給水管と、第１給水管によって供給される水道水を各給水栓に配水する複数の第２給水管とを接続する。つまり、貯水槽１０は、給水系管路に設けられて、清潔な水を貯留すると共に、給水ヘッダとしても機能する。貯水槽１０の内容量は、たとえば３６リットルであり、この量は４人家族の３日間の飲料用水使用量に相当する。この実施例では、貯水槽１０は、２つの槽本体１２を備える。
【００１７】
図２−図４を参照して、槽本体１２は、水を貯留する部位であって、硬質塩化ビニルおよびポリエチレンなどの合成樹脂によって形成され、管部１８およびキャップ部２０を含む。管部１８は、両端開口の円管、つまり汎用の合成樹脂製パイプであり、その両端のそれぞれにキャップ部２０が設けられる。管部１８の内径および長さは、貯留したい水の量によって適宜設定される。たとえば、この実施例では、内径が１４６ｍｍの円管を用いて管部１８を形成し、その長さを約１．１ｍとすることによって、１つの槽本体１２に１８リットルの水が貯留される。
【００１８】
キャップ部２０は、管部１８の両端部外面のそれぞれにＴＳ接合法で接続され、管部１８の一方端側に接続される第１キャップ部２０ａ、および他端側に接続される第２キャップ部２０ｂを含む。キャップ部２０は、短円筒状の側壁２２および側壁２２の一方端を封止する円板状の円板部２４を有する。側壁２２の内面は、管部１８の内面より外側に位置し、円板部２４と管部１８の端面との間には、空間が形成される。また、円板部２４には、管部１８から遠ざかる方向に、軸方向と平行に突出する２つの受口２６が形成される。２つの受口２６は、円板部２４の上部および下部のそれぞれに形成され、上部に位置する第１受口２６ａの内面上部は、側壁２２の内面上部と滑らかに繋がり、下部に位置する第２受口２６ｂの内面下部は、側壁２２の内面下部と滑らかに繋がる。つまり、第１受口２６ａは、管部１８の内面最上部よりも高い位置で、また、第２受口２６ｂは、管部１８の内面最下部よりも低い位置で、円板部２４と管部１８の端面との間に形成された空間に連通する。
【００１９】
そして、第１キャップ部２０ａの第１受口２６ａは、導入口として機能し、導入管２８と接続される。導入管２８は、他の槽本体１２からの導入管２８と連結されて、その高さを維持したまま２つの槽本体１２の間を通って第２キャップ部２０ｂ側に延びる。導入管２８の端部には、第１給水管（図示せず）と接続される第１接続部３０が設けられる。また、導入管２８には、バルブ３２およびバルブ３２に内蔵された逆止弁が設けられる。
【００２０】
第１キャップ部２０ａの第２受口２６ｂは、給水口として機能し、第１導出管３４と接続される。第１導出管３４は、他の槽本体１２からの第１導出管３４と連結されて、その高さを維持したまま２つの槽本体１２の間を通って第２キャップ部２０ｂ側に延びる。第１導出管３４の端部には、非常用第２給水管（図示せず）と接続される第２接続部３６が設けられる。非常用第２給水管は、通常時には通常取水栓として使用されると共に、非常時（断水時）には非常取水栓として使用される給水栓、たとえば台所の給水栓に繋がる。
【００２１】
第２キャップ部２０ｂの第１受口２６ａは、給水口として機能し、第２導出管３８と接続される。この第２導出管３８は、その高さを維持したまま第２キャップ部２０ｂから離れる方向に延びる。第２導出管３８の端部には、通常用第２給水管（図示せず）と接続される第３接続部４０が設けられる。通常用第２給水管は、非常取水栓として使用されるものを除く各給水栓、たとえばトイレや浴室の給水栓に繋がる。
【００２２】
第２キャップ部２０ｂの第２受口２６ｂは、第２キャップ部２０ｂの第１受口２６ａと同様に、給水口として機能し、第２導出管３８と接続される。第２受口２６ｂに接続される第２導出管３８は、上方に屈曲して、第１受口２６ａに接続される第２導出管３８と同じ高さになり、第２キャップ部２０ｂから離れる方向に延びる。また、第２受口２６ｂに接続される第２導出管３８には、吸気口が形成され、この吸気口には、サイフォン現象を防止するための吸気弁４２が設けられる。
【００２３】
また、槽本体１２には、連結体４４が設けられる。連結体４４は、槽本体１２とフレーム１４とを連結して固定するための部材である。また、この実施例では、貯水槽１０は２つの槽本体１２を備えるので、連結体４４は、槽本体１２同士を連結する部材としても機能する。具体的には、連結体４４は、ステンレス鋼などの金属によって形成され、その両端が外側に向かって屈曲する短半円筒状の連結体部材を組み合わせることによって、槽本体１２を挟み込んで連結する略眼鏡状に形成される。この実施例では、２つの連結体４４が、キャップ部２０近傍の管部１８外面にそれぞれ取り付けられる。また、連結体４４の両端部４４ａには、槽本体１２の高さ範囲内で、上下方向に形成される間隔が設けられる。この間隔に後述する第１フレーム４８を嵌め込み、ボルト止めすることによって、連結体４４とフレーム１４とが接続される。
【００２４】
また、管部１８に連結体４４を取り付ける際には、管部１８と連結体４４との間に、ウレタン等によって形成される断熱材４６が挟み込まれる。管部１８内の温度と連結体４４の温度とに差が生じた場合、管部１８と連結体４４とが直接触れていると、その接触部に結露が発生する恐れがあるため、断熱材４６によってそれを防止する。また、弾性を有する断熱材４６を介して管部１８に連結体４４を取り付けることによって、地震が発生して貯水槽１０全体が揺れたとしても、その揺れは断熱材４６の弾性によって吸収され、管部１８の破損が防止される。
【００２５】
フレーム１４は、ステンレス鋼などの金属によって、２つの槽本体１２を囲繞する平面矩形形状に形成される。フレーム１４は、上述の連結体４４などを介して槽本体１２を支持すると共に、貯水槽１０を建築物に取り付ける際の取付具として機能する。フレーム１４を形成する際には、溝形鋼などの汎用の形鋼を用いることができる。
【００２６】
具体的には、フレーム１４は、第１フレーム４８および第２フレーム５０を含み、第１フレーム４８は、連結体４４の両端部４４ａのそれぞれに、２つの連結体４４を結ぶように接続される。つまり、第１フレーム４８は、槽本体１２の高さ範囲内で、槽本体１２の両側のそれぞれに設けられて、槽本体１２の長さ方向に延びる。第１フレーム４８は、外方に向かって開口する溝形の断面形状を有し、槽本体１２よりも長い長さを有する。たとえば、第１フレーム４８の長さは１３６０ｍｍであり、その幅は３０ｍｍであり、その高さは６０ｍｍである。
【００２７】
また、第１フレーム４８には、貯水槽１０を建築物に取り付ける際に利用される取付部５２が形成される。取付部５２は、たとえば、第１フレーム４８を鉛直方向に連通する略楕円形状の孔であり、この孔に後述する吊ボルト１０２等が挿通される。取付部５２は、貯水槽１０を建築物に取り付けた際の重量バランスを考慮した位置に形成され、この実施例では、連結体４４の端部近傍のそれぞれに計４つの取付部５２が形成される。
【００２８】
第２フレーム５０は、槽本体１２の端面より外側で、２つの第１フレーム４８を連結し、フレーム１４の強度、延いては貯水槽１０の強度を高める。第２フレーム５０は、Ｌアングル等の金具を介して第１フレーム４８にボルト止めされて固定される。第２フレーム５０の長さ、つまり２つの第１フレーム４８の間の間隔は、たとえば４７５ｍｍである。また、槽本体１２の第２キャップ部２０ｂ側の第２フレーム５０は、上述の導入管２８および第２導出管３８と第１導出管３４との間を通るように形成され、その幅は、導入管２８および第２導出管３８と第１導出管３４との間の間隔に相当する大きさに設定される。つまり、第２キャップ部２０ｂ側の第２フレーム５０の上面に、導入管２８および第２導出管３８が乗るように沿い、その下面に、第１導出管３４が沿う。したがって、第２キャップ部２０ｂ側の第２フレーム５０に、各管２８，３４，３８を容易に固定することができ、各管２８，３４，３８に各給水管を接続した場合にも、各管２８，３４，３８の撓み等による破損を防止することができる。
【００２９】
また、図５−図７に示すように、貯水槽１０はケース１６を備え、上述の槽本体１２および各管２８，３４，３８などはケース１６内に横置きで収納される。ケース１６は、槽本体１２および各管２８，３４，３８を覆って一定温度に保温すると共に、詳細は後述するように、貯水槽１０の耐震性を向上させるために利用される。
【００３０】
具体的には、ケース１６は、保温性および難燃性を有する発泡スチロールおよびウレタン等の弾性材によって形成され、その上面１６ａおよび下面１６ｂが平面である扁平横長形状の箱形に形成される。ケース１６は、たとえば、その上部５４と下部５６とが別体として形成され、槽本体１２などをその内部に収納した後、接着剤や粘着テープを用いる等して、上部５４と下部５６とが一体化されて箱形となる。たとえば、ケース１６の長さは１６００ｍｍであり、その幅は５３５ｍｍであり、その高さは２４０ｍｍである。
【００３１】
ケース１６の両側面１６ｃには、第１フレーム４８の外形に相当する大きさの窪み部５８が形成される。第１フレーム４８は、この窪み部５８に嵌り込むようにしてケース１６の両側面１６ｃから露出し、ケース１６の両端面１６ｄの近傍まで延びる。また、ケース１６の両側面１６ｃには、第１フレーム４８の各取付部５２の上方および下方を連通する切欠部６０が形成される。この切欠部６０によって、取付部５２がケース１６から上下方向に露出し、取付部５２に後述する吊ボルト１０２等が取付可能になる。
【００３２】
また、ケース１６の端面１６ｄの一方には、各管２８，３４，３８に設けられる各接続部３０，３６，４０に応じた位置に、複数（この実施例では６つ）の接続口６２が形成され、この接続口６２を介して各接続部３０，３６，４０に各給水管が接続される。
【００３３】
このような貯水槽１０では、日常生活において各給水栓から水道水が使用される度に、槽本体１２内の水が自動的に入れ替わるため、常に清潔な水を確保できる。また、合成樹脂製パイプを用いて槽本体１２形成したので、槽本体１２は、機械的性質、特に可撓性に優れるようになり、地震が発生しても槽本体１２には亀裂などが生じ難い。さらに、槽本体１２と取付具として機能するフレーム１４とを一体化した構造とし、槽本体１２の高さ範囲内に収まるようにフレーム１４を設けたので、貯水槽１０を建築物に設置した際の高さ寸法を抑えることができる。また、フレーム１４を、槽本体１２を囲繞する平面矩形形状に形成したので、フレーム１４の強度が十分に確保され、延いては貯水槽１０自体の強度が十分に確保される。
【００３４】
図１に戻って、貯水槽の設置方法は、上述のような貯水槽１０を建築物の天井裏などに設置する際に適用される。以下に、ＲＣ構造（鉄筋コンクリート構造）を有するマンションに貯水槽１０を設置する場合について説明する。この場合には、マンションの天井裏の躯体、すなわちコンクリートスラブ（以下、単に「スラブ」ということがある。）１００に、貯水槽１０を吊り下げて設置する。
【００３５】
具体的には、図１および図８に示すように、先ず、第１フレーム４８の取付部５２の位置に応じた間隔で、スラブ１００に吊ボルト１０２を設ける。次に、下から貯水槽１０を持ち上げて、取付部５２のそれぞれに吊ボルト１０２を挿通する。この際には、耐衝撃性を有する硬質塩化ビニル等で形成される管状の補強具１０４を、第１フレーム４８の内面に当接するように噛ましておくとよい。そして、ケース１６の上面１６ａをスラブ１００の下面１００ａに当接させ、その状態で、ナット等を適宜用いて第１フレーム４８と吊ボルト１０２とを固定し、貯水槽１０をスラブ１００に設置する。
【００３６】
このように、ケース１６の上面１６ａをスラブ１００の下面１００ａに当接させる設置構造にすることによって、地震が発生した際には、貯水槽１０の動きが、ひずみのないスラブ１００の動きと同調する。つまり、貯水槽１０は、スラブ１００と共に揺れるだけで、スラブ１００からひずみの影響を受けない。また、ケース１６の弾性によって、地震によるスラブ１００の揺れが吸収される。したがって、地震の揺れが槽本体１２に及ぼす影響を減少させることができるので、槽本体１２の破損を防ぐことができ、槽本体１２内の清潔な水は確保される。つまり、耐震性に優れる。
【００３７】
また、ケース１６の形状を、その上面１６ａが平らな扁平横長形状とすることによって、スラブ１００の下面１００ａに沿うように貯水槽１０を設置することができる、つまりケース１６の下面１６ｂとスラブ１００の下面１００ａとの距離を短くすることができるので、貯水槽１０の動きがスラブ１００の動きと同調し易くなる。また、スラブ１００の下面１００ａとの当接面積が大きくなるので、地震によるスラブ１００の揺れが、ケース１６の弾性によって吸収され易くなる。
【００３８】
さらに、スラブ１００（後述する梁１０８も同様）の下に設けられる天井材１０６に貯水槽１０を置いて設置するのでは無く、スラブ１００に貯水槽１０を吊り下げて設置するので、スラブ１００と比較して強度の弱い天井材１０６が、地震時に破損して、貯水槽１０ごと落下してしまうようなことがない。
【００３９】
なお、上述の実施例では、ＲＣ構造（鉄筋コンクリート構造）を有するマンションに貯水槽１０を設置する場合について説明したが、貯水槽の設置方法は、木造の建築物に貯水槽１０を設置する場合にも適用できる。この場合には、図９に示すように、木造の建築物の天井裏の躯体、すなわち梁１０８に貯水槽１０を吊り下げて設置する。
【００４０】
具体的には、梁１０８にＬアングル１１０を固定し、このＬアングル１１０に吊ボルト１０２を取り付ける。そして、スラブ１００に設置した場合と同様に、下から槽本体１０を持ち上げて、取付部５２のそれぞれに吊ボルト１０２を挿通し、ケース１６の上面１６ａを梁１０８の下面１０８ａに当接させ、ナット等で適宜固定する。このようにしても、貯水槽１０の動きが、ひずみのない梁１０８の動きと同調し、ケース１６の弾性によって地震による揺れが吸収されるので、耐震性に優れる。
【００４１】
また、上述の実施例では、槽本体１２の高さ範囲内に設けられるフレーム１４を利用して、貯水槽１０を躯体に設置するようにしたが、これに限定されない。たとえば、槽本体１２の高さ範囲から外れる位置にフレーム１４を設け、このフレーム１４を利用して貯水槽１０を躯体に設置してもよい。
【００４２】
また、貯水槽１０が備えるフレーム１４を利用するのではなく、たとえば、図１０に示すように、貯水槽１０とは別体の取付具１１２を利用して、貯水槽１０を躯体に設置することもできる。この場合には、たとえば、貯水槽１０を設置した際、ケース１６の両側面１６ｃに沿うような位置に、複数の吊ボルト１０２を並べてスラブ１００に設けておく。次に、貯水槽１０を持ち上げて、吊ボルト１０２の間を通すようにして、ケース１６の上面１６ａをスラブ１００の下面１００ａに当接させる。そして、この状態で、ケース１６の両側面１６ｃに沿うように設置された吊ボルト１０２の間に、溝形鋼などによって形成される取付具１１２を渡し、取付具１１２によって貯水槽１０を下から支持するようにして、取付具１１２と吊ボルト１０２とをナット等で適宜固定する。また、この際には、貯水槽１０が横方向にずれないように、貯水槽１０と吊ボルト１０２或いは取付具１１２とを適宜固定する。
【００４３】
なお、上述の実施例のように、貯水槽１０を建築物の天井裏に設置するのは、非常取水栓として使用される給水栓よりも高い位置に貯水槽１０を設置するためである。これにより、非常時に、自然流下によって貯水槽１０内の水を非常取水栓から取り出すことができるようになる。
【００４４】
ただし、貯水槽の設置方法は、天井裏のスラブ１００や梁１０８に吊り下げて貯水槽１０を設置する場合だけでなく、床下などに置いて貯水槽１０を設置する場合にも適用できる。たとえば、床下に貯水槽１０を設置する場合には、床下のコンクリート基礎上にボルトを打ち込み、取付部５２にそのボルトを挿通して、ケース１６の下面１６ｂをコンクリート基礎の上面に当接させ、ナット等で適宜固定するとよい。このようにしても、貯水槽１０の動きが、ひずみのないコンクリート基礎の動きと同調し、ケース１６の弾性によって地震による揺れが吸収されるので、耐震性に優れる。なお、戸建の床下に貯水槽１０を設置する場合には、自然流下によって貯水槽１０内の貯留水を取り出すことは難しいので、槽本体１２の上部に取水口を別途設け、非常時には、その取水口から貯留水を取り出す必要が生じる場合がある。しかし、たとえば集合住宅であれば、共用エリアに貯水槽１０を設置し、階下で貯留水を取り出すようにすることもできる。
【００４５】
また、上述の実施例では、槽本体１２を横置きで収納するケース１６を備える貯水槽１０を想定し、スラブ１００などの横方向に延びる躯体に貯水槽１０を設置するようにしたが、これに限定されない。たとえば、槽本体１２を縦置きで収納する縦長形状のケース１６を備える貯水槽１０を設置する場合には、柱などの縦方向に延びる躯体の側面に縦長形状のケース１６の側面を当接させて、躯体に貯水槽１０を固定して設置することもできる。この場合には、縦長形状のケース１６の側面が横長形状のケース１６の上面１６ａに相当する。
【００４６】
また、貯水槽１０を設置する躯体は、建築物内のものに限定されない。たとえば、建築物外にその表面が露出する柱などの躯体に貯水槽１０を設置することもできる。この場合には、貯水槽１０全体を保護部材で覆うようにするとよい。また、建築物外に貯水槽１０を設ける場合であっても、建築物内から貯留水を取り出すようにすることもできる。
【００４７】
さらに、槽本体１２を覆うケース１６の形状は、扁平横長形状に限定されず、当接させる躯体面の形状等に応じて、適宜な形状を採用できる。たとえば、円柱形状のケース１６を採用することもできる。ただし、躯体面との当接面積を大きくとることができ、また、躯体面に沿うように設置できる形状が好ましい。
【図面の簡単な説明】
【００４８】
【図１】この発明の一実施例の貯水槽の設置方法によって、貯水槽をコンクリートスラブに設置した様子（設置構造）を貯水槽の端面側から示す図解図である。
【図２】図１の貯水槽の内部構造を示す平面図である。
【図３】図１貯水槽の内部構造を示す側面図である。
【図４】図１貯水槽の内部構造を示す端面図である。
【図５】図１の貯水槽の外観を示す平面図である。
【図６】図１の貯水槽の外観を示す側面図である。
【図７】図１の貯水槽の外観を示す端面図である。
【図８】図１の貯水槽の設置方法によって、コンクリートスラブに貯水槽を設置した様子を貯水槽の側面側から示す図解図である。
【図９】この発明の他の実施例の貯水槽の設置方法によって、梁に貯水槽を設置した設置構造を貯水槽の端面側から示す図解図である。
【図１０】この発明のさらに他の実施例の貯水槽の設置方法によって、コンクリートスラブに貯水槽を設置した様子を貯水槽の側面側から示す図解図である。
【符号の説明】
【００４９】
１０  …貯水槽
１２  …槽本体
１４  …フレーム
１６  …ケース
１６ａ  …ケースの上面
５２  …取付部
１００  …コンクリートスラブ
１０８  …梁
【図１】
0004884319.tif 000002
【図２】
0004884319.tif 000003
【図３】
0004884319.tif 000004
【図４】
0004884319.tif 000005
【図５】
0004884319.tif 000006
【図６】
0004884319.tif 000007
【図７】
0004884319.tif 000008
【図８】
0004884319.tif 000009
【図９】
0004884319.tif 000010
【図１０】
0004884319.tif 000011